(57)【要約】【目的】一方の手が携帯電話などの荷物で塞がっていたり、紙片を置く台となるものがない場合に、紙片に文字などを書きメモを取る事が容易な構造のものを提供すること。【構成】腰に巻く腰ベルトを通すベルト通し３を有する当て部材１を備え、更に当て部材１に支持されつつ回動自在に備えられた下敷き部材６に紙片１０を備える。下敷き部材６をストッパー部１２に当るまで開いて下敷き部材６をほぼ水平状態にする。かくして紙片１０に文字などを書きメモを取る。【選択図】図１
2007252878.tif 000002
【特許請求の範囲】
【請求項１】
腰に巻く腰ベルトを通すベルト通しを有する当て部材を備え、更に前記当て部材に支持されつつ回動自在に備えられた下敷き部材に紙片を備え、前記下敷き部材をストッパー部に当るまで用いて下敷き部材をほぼ水平状態となる様にし、かくして紙片に文字等を書く様にした腰ベルト紙片保持具。
【請求項２】
当て部材にズボン又はスカートの内側に差し込む差し込み部材を備えた請求項１記載の腰ベルト紙片保持具。
【発明の詳細な説明】
【産業上の利用分野】
【０００１】  本発明は腰に巻く腰ベルトに支持される紙片保持具に係わり、両手が使えない時に、片手だけで紙片に文字等を書きメモを取れる様にした構造に関するものである。
【背景技術】
【０００２】  一般に紙片に文字等を書きメモを取る場合は紙片を一方の手で支えるか、又は机などの台となるものの上に置いて書く必要があるが、その様にできない場合がある。例えば、机などの台となるものがない所で携帯電話をかけたり、かかって来たりした場合がそれである。一般には携帯電話を肩と耳との間に挟んで紙片を手に持って書くなどの手段で応じているが、不自然であり、書き難いものであった。
【発明が解決しようとする問題点】
【０００３】  本発明の目的は、腰に巻く腰ベルトに支持される紙片保持具によって紙片を支えて、一方の手が携帯電話などの荷物で塞がっていたり、紙片を置く台となるものがない場合にも、紙片に文字などを書く事が出来る構造のものを提供するところにある。
【問題点を解決する為の手段】
【０００４】  本発明は上記目的を達成する為、腰に巻く腰ベルトを通すベルト通しを有する当て部材を備え、更に当て部材に支持されつつ回動自在に備えられた下敷き部材に紙片を備え、下敷き部材をストッパー部に当るまで開いて下敷き部材をほぼ水平状態となる様にし、紙片に文字などを書く様に構成した。
【実施例】
【０００５】  図１（イ）は本発明による腰ベルト紙片保持具の一実施例で、腰に巻く腰ベルト（図２（イ）参照）を通すベルト通し３を有する当て部材１を備え、この当て部材１に支持されつつ回動中心軸Ｓを中心に回動自在に備えられた下敷き部材６を備えている。当て部材１は腰部や腹部に当てる為、少し湾曲しており、図２（イ）の如くベルト通し３を腰ベルトに通す事によって身体に固定する様になっている。２はズボン又はスカートの内側に差し込んで当て部材１がぐらつかない様に安定させる差し込み部材である（これは必要不可欠なものではない）。ベルト通し３はＡ方向から見た断面を示す図１（ロ）の如く、下端部を矢印の方向に引くと弾性により開く様になっており、従って腰ベルトにベルト通し３を通すには、図２（イ）の如く腰ベルトに対し上方から挿入する事が出来る（もちろん破線矢印の如く腰ベルトを挿入する事もできる――この場合、ベルト通し３は下端部が開かない、切れ目のない輪の様な形のものでも良い）。尚、ベルト通し３を布製や革製とし、その下端部に面ファスナー（図４（イ）参照）を備えて、この面ファスナーを開く事によって腰ベルトを通す様に構成しても良い。４，５は枠板で、図２（ホ）の如く不要とする事もできるが、あれば紙片１０が露出せず、外観が美麗になる。下敷き部材６は使う時は開くが、使わない時は閉じておく（この時、突起７が枠板４の凹部にパチンと嵌り込んで、軽く固定される）。図１（イ）において下敷き部材６には紙片１０が備えられているが、紙片１０を綴じる綴じ部材１１（例えばコイルバネ状のもの）を固定具９により固定する様にしている。即ち、図２（ロ）の如く固定具９を９０°回動させてこの端部から綴じ部材１１を通し、固定具９を元の位置に戻して留め具８の下の透き間に少し力を入れてパチンと挿入すれば、固定具９は固定され、紙片１０は下敷き部材６上に取り付けられる。下敷き部材６は身体に装着した状態では水平状態となるまで開くが（ほぼ水平状態となるまで開くが）、図１（イ）のＡ方向から見た断面図を示した図１（ハ）の様に下敷き部材６がストッパー部１２に当接する事によってこの状態を維持する様になっている。次に使い方を説明すると、図２（イ）の如く腰ベルト紙片保持具を通した腰ベルトを腰に巻き、利き手で下敷き部材６を図１（イ）の如く開き（もう一方の手は携帯電話などを持っている）、胸ポケットなどに入れた筆記具により同じ利き手で紙片１０上に文字などを書き、必要事項をメモする。
書き終ったら下敷き部材６を閉じれば、紙片１０は枠板４，５内に収納される。この場合、複数枚ある紙片１０をめくりつつ使っても各裏面は使えないから、一通り最後まで紙片を使い終ったら全体を裏返しして、各紙片の裏面を使う様にするが、この様にしないで各紙面の裏面をその都度使える様にするには、図２（ハ）の如く紙片１０を中央部に備えられた綴じリング１４により綴じる様にすれば良い（バインダー式）。この綴じリング１４はＢ−Ｂ′線断面図を示した図２（ニ）の如く回動軸１３を中心に回動自在に備えられ、その先端部を下敷き部材６に形成された穴に挿入すると、パチンとひっかかり部１５にひっかかって固定（閉じる）される。綴じリング１４を開くには、矢印の如く押すと、ひっかかり部１５から外れて開く事が出来る。尚、図１（イ）において下敷き部材６は回動中心軸Ｓを中心に回動するが、明確な軸に依ることなく図２（ヘ）の如く薄肉部１６を形成し、これを中心に回動させる様にしても良い（ポリプロピレンなどのプラスチック製とする）。図３（イ）に示す紙片保持具は（Ｃ方向から見た図３（ロ）も参照）下敷き部材６に支持されつつ回動中心軸Ｓ′を中心に回動自在に備えられた差し込み部材１７を有し、下敷部材６に紙片１０を備えたものである。差し込み部材１７はズボン又はスカートの内側へ差し込む部材であり、この紙片保持具をポケットに収める時は差し込み部材１７を紙片１０の表面に接触させて収納するが、ポケットから取り出して差し込み部材１７を２７０°回動させるとストッパー部１８に当り、差し込み部材１７をズボン又はスカートの内側へ差し込むと、図３（ロ）の如く下敷き部材６はほぼ水平状態となる。従ってこの状態で紙片１０に文字などを書く様にする。使い終ったら差し込み部材１７を２７０°回動させて紙片１０に接触させ、ポケットなどに収納する。１１は紙片１０を綴じる綴じ部材、９は綴じ部材１１を固定する固定具で、図１で説明した通りである。この場合、紙片１０の裏面は使えないから、一通り最後まで使い終ったら、全体を裏返しして各紙片の裏面を使う様にするが、各紙面の裏面をその都度使える様にするには、図３（ハ）の如く綴じ部材１１を下敷き部材６の中央に来る様に備える事が考えられる（これは図１にも適用される）。又は図２（ハ）で述べた綴じリング１４を使う事も考えられる。以上により携帯電話などを一方の手に持っていても（更には紙片１０を置く机などの置き台がなくても）差し込み部材１７を開いてズボン又はスカートの内側へ差し込めば、下敷き部材６はほぼ水平状態となっているから、楽々と紙片に文字などを書く事が出来る。携帯電話を使う場合は、予め差し込み部材１７をズボン又はスカートの内側に差し込んでメモの用意をしておいてからが望ましいが、突然、携帯電話がかかって来た場合などは、これを一旦ポケットに収め（携帯電話以外の荷物の場合は、一旦下に置くか、脇に挟むなどする）、差し込み部材１７を開いてズボン又はスカートの内側へ差し込んでメモの準備をしてから、再び携帯電話をポケットから取り出して使う事が考えられる。尚、差し込み部材１７は図２（ヘ）の如く薄肉部１６を回動中心に回動自在に備えても良い。図３（ニ）は差し込み部材１７を図の様��閉じた状態から９０°開いてズボン又はスカートの内側へ差し込めば、下敷き部材６がほぼ水平状態となる様にしたもので、差し込み部材１７に形成された突起１９が凹部にパチンと嵌り込む事によって前記水平状態を保つ様になっている。図４（イ）に示す紙片保持具は腰に巻く腰ベルトに支持されたバッグ２０に取り付けたもので、バッグ２０に取り付けた支持部材２３（縫い付けるなどして取り付ける）に支持されつつ回動自在に備えられた下敷き部材６を備え、この下敷き部材６に紙片１０を備えたものである（紙片保持具を拡大して描いた図４（ロ）も参照）。支持部材２３は図１の当て部材１に相当するもので、図１と同様に下敷き部材６をストッパー部に当るまで開くと、ほぼ水平状態を維持する事が出来、かくして紙片１０に文字などを書く事が出来る。書き終ったら下敷き部材６を図４（イ）の如く閉じ、カバー２１で覆う様にするのが良い（２２はカバー２１を閉めておく為の面ファスナーである）。尚、枠板２４は必要不可欠なものではない。以上の紙片保持具は図１と同様に腰ベルトに支持されるバッグ２０に取り付けられているから、図１と同様の効果がある。図４（イ）では紙片保持具を腰ベルトに支持されるバッグ２０に取り付けたが、図４（ハ）の如く肩に掛ける肩掛け２５に支持されるバッグに取り付ける事も出来る。やはり図１と同様の効果が見込める。尚、図４（ロ）の紙片保持具は手に下げて持つ通常のバッグに取り付けても、バッグを地面や床、何かの物の上に置いて下敷き部材６を開けば、直ちにメモが取れるから、同様の効果が見込めるものである。【０００６】  一般にバインダーに紙を綴じるにはパンチと称する穴あけ器で穴を開ける必要があるが、パンチの中でも厚さが薄い事を特徴としたスリムパンチと称するものがある。このスリムパンチは図５（イ）の如く（上方から見た図５（ロ）も参照）台座板２６に回動自在に備えられた押し板２８に刃体２９を有し、かつこの刃体２９が嵌け込む穴２７を台座板２６に備えており、台座板２６と押し板２８との間に挿入された紙に刃体２９により穴を開けるものである。しかしこの刃体２９は安全の為、指が触れても切れない程度にかなり切れ味を落としてある為（鋭利な刃部がない）、紙に綺麗な穴が開かなかったり、切り屑が切れずに残っていて取り除く必要があるなどの欠点がある。しかも、柔らかい紙質の紙だとうまく穴が開かずに囲りにシワが寄ったり、何枚か重ねて穴を開けようとすると穴が開かないなどの欠点もあった。これらの欠点を解消するには刃体２９に鋭利な刃部を有する構造とすれば良いが、指に怪我をする恐れがあり、危険である。そこで図５（ハ）の如く（Ｄ−Ｄ′線断面を示す図５（ニ）も参照）ストッパー部材３２を備え、押し板２８かストッパー部材３２のストッパー部３４に当って、台座板２６と押し板２８との為す角度が７０°以上には開かない様にする構造が考えられる。こうすると刃体２９′（鋭利な刃部を有するので、良く切れる）が押し板２８の裏面に隠れるので、指が当らず、安全である（より安全にするには台座板２６と押し板２８との間から容易には指がは入らない様にすることであり、前記角度を４５°以下とする事が考えられる）。紙に穴を開ける時は紙を爪の下に挿入するが、正しく挿入されたかどうかは押し板２８が大きく開かない為、目視での確認がやりずらい。この対策としては押し板２８を透明な材料で作る、又は窓（爪の為の逃げ）を大きくする等の手段がある。尚、押し板２８は矢印の方向に回動させる時は傾斜部３３の為、ストッパー部材３２が変形して回動できるが、これと反対方向に回動させる時はストッパー部３４に当って、それ以上には回動できない。台座板２６と押し板２８との為す角度が７０°以上には開かない様にする為のストッパー部は、図５（ホ）の如く軸受部３１に備える事も出来る。即ち、図５（ホ）において３５はストッパー部材で、矢印の方向に押し板２８を回動させる時は傾斜部３７により少し力を入れれば、ストッパー部材３５が変形して乗り越える事ができるが、これと反対方向にはストッパー部３６が当って回動できない。図５（ホ）のストッパー部３６に相当するものは図５（ヘ）の如く押し板２８の端部に備える事も出来る。即ち図５（ヘ）において（Ｅ方向から見た部分図を示す図５（ト）も参照）、３８はストッパー部材で、矢印の方向に押し板２８を回動させる時は、傾斜部４０によりストッパー部材３８が変形して乗り越えられるが、この反対方向にはストッパー部３９が当って回動できず、台座板２６と押し板２８との為す角度が７０°以上には開かない様になっている。尚、図５において刃体２９′は鋭利な刃部を有しており、良く切れる為、刃体２９の様なギザギザは不要である（もちろん、このギザギザは残しておいても良いが）。又、図５（ハ）、（ニ）におけるストッパー部材３２を押し板２８の長手方向端部２８′の近傍に備え、この端部２８′がストッパー部３４に当る様にしても良い。
【発明の効果】
【０００７】  本発明は以上の如く腰ベルトによって支持される腰ベルト紙片保持具に紙片を備えているので、片手が携帯電話などの荷物で塞がっていたり、紙片を置く台となるものがない場合にも、楽々と紙片に文字などを書きメモを取る事ができる。本発明は通話中にメモを取る時に便利であり、片手に荷物を持っている時なども、いちいち荷物を下に置かなくても、そのままの状態でメモが取れるので、便利である。しかもポケットや鞄などからメモ帳を取り出す手間や時間が省け、直ちにメモを取る事が出来る。
【図面の簡単な説明】
【図１】  本発明による腰ベルト紙片保持具を示す図。
【図２】  本発明による腰ベルト紙片保持具の各種実施例の図。
【図３】  紙片保持具を示す図。
【図４】  バッグに取り付けた紙片保持具の図。
【図５】  スリムパンチを示す図。
【符号の説明】
１は当て部材、２は差し込み部材、３はベルト通し、４は枠板、５は枠板、６は下敷き部材、７は突起、８は留め具、９は固定具、１０は紙片、１１は綴じ部材、１２はストッパー部、１３は回動軸、１４は綴じリング、１５はひっかかり部、１６は薄肉部、１７は差し込み部材、１８はストッパー部、１９は突起、２０はバッグ、２１はカバー、２２は面ファスナー、２３は支持部材、２４は枠板、２５は肩掛け、２６は台座板、２７は穴、２８は押し板、２９は刃体、２９′は刃体、３０は回動軸、３１は軸受部、３２はストッパー部材、３３は傾斜部、３４はストッパー部、３５はストッパー部材、３６はストッパー部、３７は傾斜部、３８はストッパー部材、３９はストッパー部、４０は傾斜部、２８′は押し板２８の長手方向端部である。
【図１】
2007252878.tif 000003
【図２】
2007252878.tif 000004
【図３】
2007252878.tif 000005
【図４】
2007252878.tif 000006
【図５】
2007252878.tif 000007